(57)【要約】      （修正有）【課題】魚体を把持することなく、容易に、魚体に掛かった釣り針を外すことができる釣り針外し具を提供する。【解決手段】両端が閉じた状態にある釣り糸を内部に通すことができるような形態で外部と連通している穴を備えた針掛け部4を有するとともに、針掛け部4の穴周辺の位置であって、穴の深さ方向断面において対角線上で互いに対向する位置にあり、その対角線上で互いに対向する両位置において針掛け部4が存在する少なくとも１対の穴周辺の位置の一方又は双方に、釣り針の軸と係合する少なくとも１つの係合部9を有している釣り針外し具を提供することによって上記課題を解決する。【選択図】図５
2005143416.tif 000002
【特許請求の範囲】
【請求項１】
両端が閉じた状態にある釣り糸を内部に通すことができるような形態で外部と連通している穴を備えた針掛け部を有するとともに、針掛け部の穴周辺の位置であって、穴の深さ方向断面において対角線上で互いに対向する位置にあり、その対角線上で互いに対向する両位置において針掛け部が存在する少なくとも１対の穴周辺の位置の一方又は双方に、釣り針の軸と係合する少なくとも１つの係合部を有している釣り針外し具。
【請求項２】
両端が閉じた状態にある釣り糸を内部に通すことができるような形態で外部と連通している穴が、外部と連通する連通路を備えた円形の穴、外部と連通する連通路を備えた長円形若しくは楕円形の穴、外部と連通する連通路を備えた三角形若しくは四角形以上の多角形の穴、又は、外部に向かって開かれたＶ字状若しくはＵ字状の開口である請求項１記載の釣り針外し具。
【請求項３】
その一方又は双方に係合部が設けられる１対の穴周辺の位置を結ぶ直線が、釣り針外し具の長手方向の軸に対し略直交する方向にある請求項１又は２記載の釣り針外し具。
【請求項４】
釣り針の軸と係合する係合部が、凹所及び／又は凸所として形成されている請求項１、２又は３記載の釣り針外し具。
【請求項５】
穴周辺の係合部に相当する位置の少なくとも表面部分が柔軟性のある材料によって構成されており、係合部が、釣り針の軸と当接することにより加えられる押圧力によって一時的に形成される凹所である請求項１、２、３又は４記載の釣り針外し具。
【請求項６】
針掛け部を先端若しくは先端近傍に設けてなる柄若しくは柄に相当する部分を有し、その柄若しくは柄に相当する部分の径が、外すことを想定する釣り針のフトコロ幅とほぼ等しいか、それよりもやや大きい請求項１ないし５のいずれかに記載の釣り針外し具。
【請求項７】
針掛け部を先端若しくは先端近傍に設けてなる柄若しくは柄に相当する部分を有し、柄若しくは柄に相当する部分の長手方向の軸に対し針掛け部が傾斜しており、柄若しくは柄に相当する部分の長手方向の軸と、針掛け部に設けられた穴を垂直に貫通する軸とが、直交状態にない請求項１ないし６のいずれかに記載の釣り針外し具。
【請求項８】
針掛け部の外周のいずれかの箇所に、先端を鋭角に尖らせた楔状部が設けられている請求項１ないし７のいずれかに記載の釣り針外し具。
【請求項９】
針掛け部の先端部分に楔状部が設けられている請求項８記載の釣り針外し具。
【発明の詳細な説明】
【技術分野】
【０００１】
本発明は、釣り針外し具に関し、詳細には、魚体を把持することなく、容易に釣り針を外すことができる釣り針外し具に関するものである。
【背景技術】
【０００２】
従来、魚体に掛かった釣り針を外す釣り針外し具としては実に様々な形態のものが提案されており、例えば、特許文献１に見られるような鉄芯の先端をラセン状にまるめたものや、特許文献２に見られるような先端に鉤掛け穴を設けたものなどがある。しかしながら、これら従来の釣り針外し具はいずれも、先端のラセン部の内側や鉤掛け穴の内側で魚体に掛かった釣り針を一旦押し込んで外すものであり、釣り針を外すときには、一方の手で魚体を動かないように把持する必要があった。
【０００３】
ところが、魚体は鱗で覆われており、ぬめりがある上に、特有の匂いもあるので、魚体を素手で把持すると手に鱗やぬめりが付き、匂いも移り、手を洗う必要が生じる。また、特に冬場などは海水等に濡れた魚体は冷たく、素手で魚体を把持することのはつらい作業である。一方、これを嫌って、手袋やタオルなどを利用して魚体を把持するようにしても、今度は手袋やタオルに鱗やぬめりや匂いが付着するのは避けられず、しかも、手袋をはめたり、タオルを用意するなどの面倒さが生じるという問題があった。
【０００４】
更には、例えばゴンズイ、アイゴ、オコゼなどのように、鋭い背鰭に毒を持っているような魚から釣り針を外すに際しては、魚体を把持するなどということは特殊な手袋でもない限り極めて危険な作業であり、これまでは仕方なく仕掛けの途中の糸を切り、針ごと捨ててしまっているのが現状である。しかしながら、海や河川の環境改善が求められている昨今、たとえ希なケースであるとはいえ、針ごと遺棄してしまうことには問題がある。
【特許文献１】実開昭６４−１１６７７号公報
【特許文献２】実開平１−６６８７１号公報
【発明の開示】
【発明が解決しようとする課題】
【０００５】
本発明は、上記のような従来の釣り針外し具の不都合を解決するために為されたもので、魚体を把持することなく、容易に、魚体に掛かった釣り針を外すことができる釣り針外し具を提供することを課題とするものである。
【課題を解決するための手段】
【０００６】
本発明は、両端が閉じた状態にある釣り糸を内部に通すことができるような形態で外部と連通している穴を備えた針掛け部を有するとともに、針掛け部の穴周辺の位置であって、穴の深さ方向断面において対角線上で互いに対向する位置にあり、その対角線上で互いに対向する両位置において針掛け部が存在する少なくとも１対の穴周辺の位置の一方又は双方に、釣り針の軸と係合する少なくとも１つの係合部を有している釣り針外し具を提供することによって、上記の課題を解決するものである。
【０００７】
両端が閉じた状態にある釣り糸とは、１本の釣り糸の両端が互いに連結されている状態にある釣り糸を言い、このような状態にある釣り糸は、釣り糸の一端をもって穴に通すということはできない。例えば、一端が吊り竿に連結され、他端に釣り針を介して魚が掛かっている状態にある釣り糸は、釣り竿及び魚よりも小さな穴に対しては、両端が閉じた状態にある釣り糸と等価であり、このような状態にある釣り糸を、釣り竿及び魚よりも小さな穴に通すには、穴が何らかの通路若しくは空間を介して穴の外部と連通している必要がある。本明細書において、両端が閉じた状態にある釣り糸を内部に通すことができるような形態で外部と連通している穴とは、このように、何らかの通路若しくは空間を介して穴の外部と連通しており、その通路若しくは空間を介して、一方に釣り竿が連結され、他方に魚が掛かった状態、つまり両端が閉じた状態にある釣り糸を、その内部に通すことができる状態にある穴のことを言うものである。なお、一方に釣り竿が連結され、他方に魚が掛かった状態にある釣り糸を穴の内部に通すことができれば、その釣り糸をたどってその先にある釣り針も穴の内部に通すことができることは言うまでもない。
【０００８】
本発明の釣り針外し具においては、上記のような状態にある穴の周辺部の少なくともどこか１箇所に、釣り針の軸と係合する係合部が設けられている。ただし、穴の周辺部の少なくともどこか１箇所とはいっても、その箇所と穴の深さ方向断面において対角線上で対向する位置にある箇所には、穴を形成している針掛け部が存在しなければならない。何故なら、後述するように、本発明の釣り針外し具は、穴の深さ方向断面において対角線上で互いに対向する２箇所一対の穴周辺部に釣り針の軸を当接させて釣り針を外すものであるため、対角線上で互いに対向する位置にある２箇所一対の穴周辺部の双方に穴を形成している針掛け部が存在している必要がある。また、本明細書において、釣り針の軸とは、釣り針のチモトから針先までの間の部分をいい、曲がりと呼ばれる部分も含むものである。
【発明の効果】
【０００９】
本発明の釣り針外し具は、上記のとおり、針掛け部の穴周辺の位置であって、穴の深さ方向断面において対角線上で互いに対向する一対２箇所の位置の一方又は双方に、釣り針の軸と係合する少なくとも１つの係合部を有しているので、本発明の釣り針外し具を長手方向の軸を中心に回転させた場合でも、その係合部によって釣り針の軸を穴周辺の一定位置に保持することができる。これにより、本発明の釣り針外し具によれば、釣り針外し具に加えられる回転力を有効に釣り針に伝達することができ、釣り針外し具を回転させる操作によって、魚体に掛かった釣り針を外すことができるものである。このように、本発明の釣り針外し具においては、釣り針外し具を魚体の口腔奥に向かって押し込む操作が不要であるので、魚体を動かないように把持する必要がなく、直接魚体に触れずに魚体から釣り針を外すことが可能である。したがって、本発明の釣り針外し具によれば、手を汚すこともなく、手袋やタオルを用意する必要もない。また、魚体を把持することに危険が伴う魚であっても、容易に釣り針を外すことができるという利点がある。勿論、場合によっては、魚体を把持した状態で本発明の釣り針外し具を使用することも可能である。そのような場合であっても、本発明の釣り針外し具によれば、釣り針外し具を回転させる力を有効に釣り針に伝え、容易に釣り針を外すことができるので、余分な力を必要とせず、楽に釣り針を外すことができるという利点がある。
【発明を実施するための最良の形態】
【００１０】
以下、図面を用いて本発明の釣り針外し具について説明するが、本発明が図示のものに限られる訳ではないことは勿論である。
【００１１】
図１は、本発明の釣り針外し具の一例を示す図、図２は図１のＡ−Ａ断面図であり、図２は、後述する穴５の深さ方向断面に相当する。図１において、１は本発明の釣り針外し具であり、２は釣り針外し具１の柄、３は軸、４は針掛け部である。針掛け部４は、断面円形の線状部材からなる軸３の先端部分を略３６０度曲げ、その曲げた先端を曲がる手前の軸３の部分と空間的に重なるように交差させることによって形成されており、針掛け部４の内側には穴５が形成されている。針掛け部４を形成する軸３の先端部分と、それが空間的に重なる位置にある軸３との間には、図２から明らかなように隙間ｄが設けられている。この間隙ｄが設けられていることにより、一方が釣り竿６に連結され、他方に釣り針７が結ばれて、あたかも両端が閉じたような状態にある釣り糸８を穴５の内部に通すことが可能となる。すなわち、まず、図１に破線矢印Ｚ１で示すように、釣り針外し具１の柄２に沿わせて釣り糸８を移動させ、針掛け部４の下をくぐって間隙ｄを通過させた後、今度は、破線矢印Ｚ２で示すように、釣り糸８が針掛け部４の上にくるように移動させれば、釣り糸８を穴５の内部に通すことができる。釣り糸８は、図１における右側から穴５の内部に通すこともできるが、その場合には、釣り糸８の釣り針７側が針掛け部４の上にきて、釣り糸８の釣り竿６側が針掛け部４の下にくるようになる。なお、軸３の先端部分の曲がる角度は、図示のような略３６０度に限られず、３６０度を超えてさらに曲がって螺旋を形成していても良いし、逆に３６０度未満であっても良い。なお、図示の例においては、軸３を構成する線状部材の断面形状は円形であるが、軸３の断面形状は円形に限られず、三角形、四角形、長方形、その他の多角形、長円形、楕円形等、種々の形態にすることが可能である。
【００１２】
９ａ、９ｂは、針掛け部４の穴５の周辺部に設けられた係合部であり、図２に示すように、一方の係合部９ａは、針掛け部４の上面に設けられ、他方の係合部９ｂは、針掛け部４の下面に設けられている。これら係合部９ａ、９ｂが設けられる位置は、図中破線の斜線で示した穴５の深さ方向断面Ｍにおける対角線ｍ１上で互いに対向する位置にあり、本発明の釣り針外し具１を使用する際に、取り外しの対象となる釣り針７の軸が針掛け部４に当接する位置に対応している。
【００１３】
なお、図示の例では、係合部９ａ、９ｂは、対角線ｍ１上で互いに対向する位置にある１対２箇所の位置のそれぞれに設けられているが、いずれか一方の係合部で十分に釣り針の軸を保持することができる場合には、係合部９ａ若しくは９ｂのいずれか一方だけであっても良い。また、逆に、例えば図３に示すように、穴５の深さ方向断面Ｍにおいて、係合部９ａ、９ｂが位置する対角線ｍ１と交差する対角線ｍ２上の互いに対向する位置に、別途、１対２箇所の係合部９ｃ、９ｄを設けても良い。このように、同じ深さ方向断面において互いに交差する対角線ｍ１、ｍ２上に係合部を設ける場合には、本発明の釣り針外し具を、状況に応じて、左右どちらの方向にも回転させることができ、便利である。なお、係合部９ｃ、９ｄも、そのいずれか一方だけを設けるようにしても良いことは言うまでもない。
【００１４】
更には、図４に示すように、係合部９ａ、９ｂが設けられている対角線ｍ１を穴５の中心を軸に９０度時計回りに回転させた方向にある他の対角線上で互いに対向する位置に、係合部９ｅ、９ｆを設けても良い。この場合には、本発明の釣り針外し具１を釣り針外し具の長手方向の軸Ｘの回りに回転させて釣り針を外すことも、或いは、釣り針外し具の長手方向と直交する水平方向の軸Ｙの回りに回転させて釣り針を外すことも可能になり、釣り針の掛かっている状況に合わせて回転方向を選択することができ、極めて便利である。
【００１５】
なお、以上の例においては、１対の係合部が設けられる穴周辺の位置は、その両位置を結ぶ直線、すなわち穴の深さ方向断面における対角線が、釣り針外し具１の長手方向の軸、すなわち柄２の軸に対して直交している（対角線ｍ１、ｍ２の場合）か、若しくは略平行（図４に示した係合部９ｅ、９ｆを結ぶ対角線の場合）であるが、１対の係合部が設けられる穴周辺の位置を結ぶ直線は、場合によっては、柄２の軸に対し斜めに交差するような方向であっても良い。しかしながら、本発明の釣り針外し具１を回転させて、その回転力を効率良く釣り針に伝達するという観点からは、１対の係合部が設けられる穴周辺の位置を結ぶ直線は、釣り針外し具１の長手方向の軸、すなわち、柄２の軸に対して直交乃至は略直交しているのが好ましい。
【００１６】
以上の例において、係合部９ａ〜９ｆは、針掛け部４を形成している軸３の一部を部分的に削り取ることによって得られる形状を有しており、周辺の部分に比べて凹んだ凹所として形成されている。係合部を形成する凹所の断面形状に特に制限はなく、釣り針の軸と係合して、釣り針を滑らないように保持することができる限り、どのような形状であっても良いが、例えば、Ｖ字状、Ｕ字状、四角形状、長方形状、半円状、半楕円状、半長円状など、ある程度鋭角に切り立った側面を有する形状が好ましく、中でも、加工性の点からは、Ｖ字状、Ｕ字状、四角形状、長方形状、半円状などが好ましい。係合部を形成する凹所の深さにも、釣り針の軸と係合することができる限り、特段の制限はない。
【００１７】
凹所としての係合部９ａ〜９ｆを形成する方法にも特に制限はなく、針掛け部４を構成する材料にも依るが、切削、切除、プレス、溶融等、適宜の加工方法を採用することが可能である。場合によっては、鋳造や射出成形等の方法によって、凹所が設けられた針掛け部４を一体的に成形しても良い。また、部分的に、テープを巻いたり、チューブ状の覆いを被せたり、材料を積層したり、接着したり、電着したり、融着したり、溶接したり、何らかの方法で付着させたりして、厚みや径を増し、その厚みや径を増した部分に挟まれた部分を凹所としたり、厚みや径を増した部分の一部を切除するなどして、その切除された部分を凹所とするようにしても良い。
【００１８】
以上の例では、係合部９ａ〜９ｆは、針掛け部４を形成している軸３の上面又は下面の一部を削りとって得られる形状をしており、主として、軸３の上面又は下面に設けられているが、場合によっては、針掛け部４を形成している軸３の穴５に面した側面にまで係合部としての凹所を延長したり、更には、軸３の周囲全体に係合部としての凹所を形成しても良い。
【００１９】
図５は、図１に示した本発明の釣り針外し具１の使用方法を説明するための説明図である。図５において、魚Ｆの口蓋部に掛かっている釣り針７を外す場合、まず、釣り糸８の上部を持って、魚Ｆを図示の状態に吊り下げ、吊り下げたまま、魚体には触れずに、図５の上部に示すように、釣り糸８を、前述の間隙ｄを介して本発明の釣り針外し具１の穴５内に通す。通した後、釣り糸８に沿って本発明の釣り針外し具１を図示破線矢印で示すように降下させると、釣り糸８の先に結合されている釣り針７が、本発明の釣り針外し具１の穴５内に通されることになる。
【００２０】
この状態で、本発明の釣り針外し具１を図中矢印方向に回転させると、釣り針７の軸は当初は若干、針掛け部４を形成する軸３の表面に沿って滑りはするものの、係合部９ａ、９ｂの位置にくると、係合部９ａ、９ｂと係合し、その位置に滑らない状態で保持されることになる。この状態で、さらに本発明の釣り針外し具１を図中矢印Ｐ方向に回転させると、釣り針７には釣り針７を外す方向である図中矢印Ｑ方向に回転モーメントが加わり、釣り針７は魚Ｆから外れ、魚Ｆはそのまま下方にあるクーラーの内部等に落下することになる。このように、本発明の釣り針外し具によれば、係合部９ａ、９ｂが設けられているので、釣り針外し具１を回転させても釣り針７の軸が一定の位置に保持され、回転モーメントを釣り針７に効率良く加えることが可能である。その結果、本発明の釣り針外し具１によれば、魚体に触れることなく釣り針を魚体から外すことが可能となる。このように、本発明の釣り針外し具１によれば、魚体に触れる必要がないので、手を汚すこともなく、手袋やタオルを用意する必要もない。さらには、魚Ｆが背鰭等に毒をもっている場合でも、魚Ｆに直接触れる必要がないので、安全に魚Ｆから釣り針を外すことができるという優れた利点が得られるものである。
【００２１】
図６は、図４に示した本発明の釣り針外し具１を用いて、魚Ｆによって飲み込まれ、口腔の奥に掛かっている釣り針７を外す場合の説明図である。すなわち、図５の場合と同様に、まず釣り糸８の上部を持って、魚Ｆを図示の状態に吊り下げ、魚体には触れずに、釣り糸８を、間隙ｄを介して本発明の釣り針外し具１の穴５内に通し、その後、釣り糸８に沿って本発明の釣り針外し具１を図示の位置まで降下させる。この状態で、本発明の釣り針外し具１を図中矢印Ｐ方向に回転させると、釣り針７の軸は当初は若干、針掛け部４を形成する軸３の表面に沿って滑りはするものの、やがて係合部９ｅ、９ｆと係合し、その位置に滑らない状態で保持されることになる。この状態で、さらに本発明の釣り針外し具１を更に図中矢印Ｐ方向に回転させると、釣り針７には釣り針７を外す方向である図示矢印Ｑ方向に回転モーメントが加わり、釣り針７は魚Ｆから外れることになる。このように、本発明の釣り針外し具１によれば、魚Ｆの口腔奥に掛かった釣り針７も、魚体に直接触れることなく外すことができる。口腔奥に横向きに掛かった釣り針を外すときには、係合部９ａ、９ｂを用いれば良いことは言うまでもない。
【００２２】
なお、図６に示すように本発明の釣り針外し具１を魚Ｆの口腔奥にまで差し込んで使用する場合には、柄２の径を、外す釣り針のフトコロ幅と略同じか、やや大きめにしておくと、外した釣り針を魚Ｆの口腔奥から抜き取るときに、再度魚Ｆの口腔内に引っかかることが防止できるので好ましい。
【００２３】
本発明の釣り針外し具１は、従来の釣り針外し具と同様に、魚Ｆの口腔奥にまで差し込んで、針掛け部４の内周面で掛かっている釣り針を押し下げ、釣り針を外すことも勿論可能である。図４に示す釣り針外し具のように、針掛け部４の先端部に係合部９ｆが設けられており、その係合部９ｆが針掛け部４を形成する軸３の全周にわたる凹部として形成されている場合には、その先端部外側にある凹部で釣り針を押し下げて外しても良い。
【００２４】
図７は、本発明の釣り針外し具１の他の例を示す図、図８は図７の右側面図であり、これまでと同じ部材には同じ符号を付してある。この例においては、軸３の先端部が、軸３の曲げられる手前の部分と間隙ｄをもって空間的に重なる位置まで、３６０度未満の角度で曲げられて、穴５を形成し、針掛け部４を構成している。係合部９ａは、軸３の図７における向こう側に形成され、係合部９ｂは、軸３の図７における手前側に形成されている。
【００２５】
本例の釣り針外し具１においては、図８から明らかに見て取れるように、針掛け部４が釣り針外し具１の柄２の長手方向の軸Ｘに対して傾斜している。すなわち、図８において、Ｚは軸Ｘと直交する軸であり、Ｌは針掛け部４に形成されている穴５を垂直に貫通する軸であるが、軸Ｚと軸Ｌとの間には角度αがあり、軸Ｌと柄２の長手方向の軸Ｘとは直交していない。このように、針掛け部４、換言すれば針掛け部４に設けられている穴５が釣り針外し具１の柄２の軸Ｘに対して傾斜していることにより、使用に際し、穴５に釣り糸を通し、本発明の釣り針外し具１を釣り糸先端の釣り針に向かって進めていく場合、穴５を形成している針掛け部４が釣り針のミミ（或いはタタキ）、シュモクなどの釣り針における釣り糸を結ぶ部分よりも根元側に設けられている太さが太くなっている部分や、カン、アナなどに引っかかることがなく通り抜けさせて、針掛け部４の穴５を釣り針のフトコロ部にまでスムースに侵入させることができるという利点がある。針掛け部４の軸Ｘに対する傾斜の程度は、上記軸Ｚと軸Ｌとの間の角度αで表せば、一般に、αは０度を超え９０度以下であり、好ましくは５度〜４５度の範囲、更に好ましくは、１０度〜３０度の範囲である。
【００２６】
また、図７及び図８の例においては、針掛け部４の先端部分に、先端を鋭角に尖らせた楔状部１３が設けられている。この楔状部１３が設けられていることにより、例えば、釣り針を飲み込んだ魚がその口を閉ざしている場合でも、楔状部１３の鋭角の先端部を魚の口に差し込むことによって、容易に本発明の釣り針外し具を魚の口内に挿入することが可能となる。また、楔状部１３の鋭角の先端部を釣り糸に取り付けたガン玉の合わせ目に差し込むことによって、ガン玉を容易に取り外すことができるという利点もある。なお、ガン玉を容易にはずすという観点だけからいえば、楔状部１３を設ける位置は針掛け部４の先端部分に限られない。上記の観点からは、本発明の釣り針外し具１を手に持ってガン玉に押し付けることができる位置である限り、楔状部１３はどの位置に設けても良く、例えば、針掛け部４の外周のいずれかの位置に設けても良いし、針掛け部４とは反対側の柄２の手元側端部若しくはその近傍に設けても良い。
【００２７】
なお、楔状部１３は、例えば、図１や図４、図７、図８に示す釣り針外し具において、係合部９ａ、９ｂ・・・が設けられていないタイプの釣り針外し具の針掛け部先端に設けることも勿論可能であり、その場合においても、本発明の釣り針外し具に設けた場合と同様に、閉じた魚の口に容易に差し込めるという利点や、ガン玉の合わせ目に容易に差し込めてガン玉を容易に取り外すことが可能になるという利点が得られることは言うまでもない。つまり、先端若しくはその近傍に針掛け部を備えた釣り針外し具において、針掛け部の外周のいずれかの位置、好ましくは針掛け部の先端部分に先端を鋭角に尖らせた楔状部を設けてなる釣り針外し具や、釣り針外し具の針掛け部とは反対側の手元側先端若しくはその近傍に先端を鋭角に尖らせた楔状部を設けてなる釣り針外し具も、本明細書における開示の範囲内の事項である。
【００２８】
図９は、本発明の釣り針外し具１の他の例を示す図であり、これまでと同じ部材には同じ符号を付してある。図９の例においては、軸３の延長部分は大きく２回折り曲げられ、三角形状の穴５を有する針掛け部４を形成している。係合部９ａは、針掛け部４を形成する軸３の周囲全体にわたる凹所として設けられており、対角線ｍ１の反対側の位置には、三角形状の穴５の頂点Ｃがある。この頂点Ｃは、周囲の部分に比べて凹所になっているので、そのままで係合部となり得る。もしも釣り針７の軸の保持が、三角形状の穴５の頂点Ｃの部分だけで十分である場合には、軸３上の係合部９ａは特段設ける必要はないが、もともと係合部として形成されたのではない頂点Ｃの部分だけでは釣り針７の軸を保持するには通常不十分であることが多いので、係合部９ａは設けるのが好ましい。なお、針掛け部４の先端と軸３との間には、間隙ｄが設けられており、この間隙ｄを介して、釣り竿６と釣り針７に連結され実質的に両端が閉じた状態にある釣り糸８を図中破線矢印で示すように、穴５内に通すことができることは勿論である。
【００２９】
図１０は、図９の釣り針外し具１の使用方法を説明するための説明図である。図から明らかなように、釣り糸８を持って魚Ｆを吊り下げた状態で、前述の間隙ｄを利用して、釣り針７を針掛け部４内の穴５内に通し、係合部９ａと三角形状の穴５の頂点Ｃとに係合させ、その状態で釣り針外し具１を図中矢印Ｐ方向に回転させると、釣り針７には図中矢印Ｑで示すように釣り針７を外す方向に回転モーメントが加わり、魚Ｆの魚体には直接触れることなく、釣り針７を魚Ｆから外すことができるものである。
【００３０】
図１１は、本発明の釣り針外し具１の更に他の例を示す図であり、これまでと同じ部材には同じ符号を付してある。図１１の例においては、釣り針外し具１は板状の部材から構成されており、その先端部にＶ字状の穴５が設けられている。Ｖ字状の穴５は、Ｖ字状の上部開口部分で外部と明らかに連通しており、その連通部分から、釣り竿６と釣り針７に連結され実質的に両端が閉じた状態にある釣り糸８を、図示破線矢印で示すように、穴５の内部に通すことができるようになっている。Ｖ字状の穴５の周囲に存在する針掛け部４には、その上面、下面のそれぞれに、係合部９ａ、９ｄと、係合部９ｂ、９ｃとが設けられており、係合部９ａと９ｂ、及び、係合部９ｃと９ｄとが、それぞれ、穴５の深さ方向断面における対角線上に位置する関係にある。
【００３１】
なお、図１１の例においても、穴５にはＶ字状の頂点Ｃが存在するが、例えば頂点Ｃを通る対角線ｎを見れば明らかなとおり、穴５の深さ方向断面における対角線ｎ上に位置する頂点Ｃに対応する位置には、針掛け部４が存在しないので、Ｖ字状の頂点Ｃは、本発明における係合部を形成する凹所とはなり得ない。また、図１１の釣り針外し具１においては、Ｖ字状の穴５の両側に存在する針掛け部４の先端部分の端面は平面に形成されているが、この先端部分のいずれか一方又は双方を鋭角に尖らせて、楔状部としても良いことは勿論である。このような楔状部を設ける釣り針外し具としては、図１１に示す釣り針外し具１において、係合部９ａ、９ｂ・・・が存在しない従来タイプの釣り針外し具であっても良い。
【００３２】
図１２は、図１１の釣り針外し具１の使用方法を説明するための説明図である。図から明らかなように、釣り糸８を持って魚Ｆを吊り下げた状態で、Ｖ字状部の上部開口部分から釣り針７を針掛け部４の穴５内に通し、係合部９ａ、９ｂと係合させる。その状態で釣り針外し具１を図中矢印Ｐ方向に回転させると、釣り針７には図中矢印Ｑで示すように、釣り針７を外す方向に回転モーメントが加わり、魚Ｆの魚体には直接触れることなく、釣り針７を魚Ｆから外すことができるものである。
【００３３】
図１３は、本発明の釣り針外し具１の更に他の例を示す図であり、これまでと同じ部材には同じ符号を付してある。図１３の例においては、釣り針外し具１は板状の部材から構成されており、その先端部はＵ字状の穴５が設けられている。Ｕ字状の穴５は、Ｕ字状の上部開口部分で外部と明らかに連通しており、その連通部分から、釣り竿６と釣り針７に連結され実質的に両端が閉じた状態にある釣り糸８を穴５の内部に通すことができるようになっている。この図の例においては、係合部９が、針掛け部４の上下２箇所において、針掛け部４の上面、下面、及び、穴５に面した側面に設けられている。図１３の釣り針外し具１においては、Ｕ字状の穴５の両側に存在する針掛け部４の先端部分の端面は平面に形成されているが、この先端部分のいずれか一方又は双方を鋭角に尖らせて、楔状部としても良い。このような楔状部を設ける釣り針外し具としては、図１３に示す釣り針外し具１において、係合部９ａ、９ｂ・・・が存在しない従来タイプの釣り針外し具であっても良いことは勿論である。
【００３４】
図１４は、本発明の釣り針外し具１の更に他の例を示す図であり、これまでと同じ部材には同じ符号を付してある。図１４の例においては、釣り針外し具１は板状の部材から構成されており、その先端部には円形の穴５が設けられている。円形の穴５は、間隙ｄを介して外部と連通しており、間隙ｄから、釣り竿６と釣り針７に連結され実質的に両端が閉じた状態にある釣り糸８を穴５の内部に通すことができるようになっている。係合部９ａ、９ｂ、及び９ｃ、９ｄは、それぞれ、穴５の深さ方向断面における対角線上に位置する穴５の周辺部に設けられている。図１４の釣り針外し具１においては、針掛け部４の先端部分の端面は平面に形成されているが、この先端部分の一部若しくは全部を鋭角に尖らせて、楔状部としても良い。このような楔状部を設ける釣り針外し具としては、図１４に示す釣り針外し具１において、係合部９ａ、９ｂ・・・が存在しないものであっても良いことは勿論である。
【００３５】
図１５は、本発明の釣り針外し具１の更に他の例を示す図、図１６は図１５のＡ−Ａ断面図であり、これまでと同じ部材には同じ符号を付してある。この例においては、針掛け部４が釣り針外し具１の柄２の長手方向の軸Ｘに対して傾斜している。すなわち、図１６の断面図に示すように、軸Ｘと直交する軸Ｚと、針掛け部４に形成されている穴５を垂直に貫通する軸Ｌとの間には角度αがあり、軸Ｌと柄２の長手方向の軸Ｘとは直交していない。このように、針掛け部４、換言すれば針掛け部４に設けられている穴５が釣り針外し具１の柄２の軸Ｘに対して傾斜していることにより、図７及び図８に示した釣り針外し具と同様に、使用に際し、穴５に釣り糸を通し、本発明の釣り針外し具１を釣り糸先端の釣り針に向かって進めていく場合、穴５を形成している針掛け部４が釣り針のミミ（或いはタタキ）やシュモクなど、釣り針根元側に設けられている太さが太い部分に引っかかることがなく、通り抜けさせて、針掛け部４の穴５を釣り針のフトコロ部にまでスムースに侵入させることができるという利点がある。針掛け部４の軸Ｘに対する傾斜の程度は、上記軸Ｚと軸Ｌとの間の角度αで表せば、一般に、αは０度を超え９０度以下であり、好ましくは５度〜４５度の範囲、更に好ましくは、１０度〜３０度の範囲である。
【００３６】
また、図１５及び図１６の例においては、針掛け部４の先端部分に、先端を鋭角に尖らせた楔状部１３が設けられている。この楔状部１３が設けられていることにより、図７及び図８に示した釣り針外し具と同様に、例えば、釣り針を飲み込んだ魚がその口を閉ざしている場合でも、楔状部１３の鋭角の先端部を魚の口に差し込むことによって、容易に本発明の釣り針外し具を魚の口内に挿入することが可能となる。また、楔状部１３の鋭角の先端部を釣り糸に取り付けたガン玉の合わせ目に差し込むことによって、ガン玉を容易に取り外すことができるという利点もある。なお、ガン玉を容易にはずすという観点だけからいえば、楔状部１３を設ける位置は図示のような針掛け部４の先端部分に限られず、楔状部１３はどの位置に設けても良く、例えば、針掛け部４の外周のいずれかの位置に設けても良いし、針掛け部４とは反対側の柄２の手元側端部若しくはその近傍に設けても良い。
【００３７】
なお、上記の図７、図１１、図１３、図１４、図１５に示した釣り針外し具１の場合には、従来の釣り針外し具と同様に、Ｖ字状穴５、Ｕ字状穴５または円形穴５の奥部を魚に掛かった釣り針に当接させ、その部分で釣り針を押し下げて釣り針を外すようにしても良いことは勿論である。
【００３８】
図１７は、本発明の釣り針外し具１の更に他の例を示す斜視図であり、図１８は、その側面図である。図１７、図１８に示す例においては、針掛け部４は、板状の部材の中央部に長円形の穴５を設け、その穴５を形成する針掛け部４の一部を切断し、若干重ならせて、重なった部分に間隙ｄを設けた形状を有している。このように、長円形の穴５は、間隙ｄを介して外部と連通しており、間隙ｄから、釣り竿６と釣り針７に連結され実質的に両端が閉じた状態にある釣り糸８を穴５の内部に通すことができるようになっている。
【００３９】
９は係合部であるが、図示のとおり、２個ずつペアになった凸部１０、１０によって形成されている。釣り針の軸は、このペアになった凸部１０、１０のいずれかと係合するか、或いはペアになった凸部の間に係合し、回転モーメントが加えられることになる。なお、各係合部を形成する凸部１０、１０は、必ずしもペアで設ける必要はなく、場合によっては１つの凸部で１つの係合部９を形成するようにしても良い。このような凸部１０、１０を形成する方法には特段の制限はない。溶接や接着、融着、プレス、曲げ加工、切削など、用いる材料に応じて適宜の方法を使用すれば良い。なお、この例の釣り針外し具１においても、針掛け部４の外周のいずれかの場所、好ましくは先端部分に、先端を鋭角に尖らせた楔状部を設けるようにしても良いことは勿論である。なお、この図１７、図１８に示した例においても、図７、図８や、図１５、図１６の例と同様に、針掛け部４を柄２の長手方向の軸に対して傾斜させても良いことは勿論である。
【００４０】
図１９は、本発明の釣り針外し具１の更に他の例を示す図であり、図２０はそのＡ−Ａ断面図である。図において、軸３は、途中から径が細くなっており、大径部３ａ、３ａと小径部３ｂとで構成されている。大径部３ａ、３ａと小径部３ｂとの境界には段差１１、１１が形成されており、この段差１１、１１は、小径部３ｂに対しては凸部であり、大径部３ａ、３ａに対しては凹部であって、いずれにせよ、図示しない釣り針７の軸に当接して釣り針を一定位置に保持する係合部９として機能することになる。このように本明細書でいう凹部、凸部とは、片側だけの凹部乃至は凸部も含むものである。なお、この例の釣り針外し具１においても、小径部３ｂの先端部分に、先端を鋭角に尖らせた楔状部を設けるようにしても良いことは言うまでもない。また、この図１９に示した例においても、図７、図８や、図１５、図１６の例と同様に、針掛け部４を柄２の長手方向の軸に対して傾斜させても良いことは勿論である。
【００４１】
上記の例を通じて、本発明の釣り針外し具を構成する材料に特に制限はなく、ステンレス、チタン、鉄、鋼、銅、真鍮、アルミ等の金属や、プラスチック、木、セラミックなど使用する場所に求められる特性に応じて適宜の材料を使用することができる。
【００４２】
図２１は、本発明の釣り針外し具１の更に他の例を示す図であり、図２２は、その部分拡大図である。図２１において、係合部９、９は、軸３の周囲に取り付けられたリング１２、１２によって形成されている。このリング１２、１２は、例えば、軟質ビニール樹脂などの柔軟性のある材料からなるチューブで構成されており、図２２に示すように、釣り針７の軸が当接し、圧力が加えられると柔軟に凹み、その凹所で釣り針７の軸を保持し、係合部９、９として機能することができるものである。図示の例では、リング１２、１２は、係合部９、９となる部分だけに取り付けられているが、針掛け部４の全体に取り付けても良い。その場合には、針掛け部４のいずれの場所も係合部となることができ、釣り針７の軸が係合部と係合する位置関係にあるかどうかを懸念することなく、本発明の釣り針外し具１を使用することができる。また、図示の例では、リング１２、１２は軸３の全周を覆うものであるが、柔軟性のある材料は、係合部となるべき部分だけに存在すれば良く、軸３の上面だけ、若しくは下面だけに取り付けるようにしても良い。更には、柔軟性のある材料は、係合部９となる凹所が形成されるに十分な厚みがあれば良く、そのような厚みがある限り、少なくとも、針掛け部４を形成する軸３の表面部分だけに存在すれば良い。
【００４３】
この図２１、図２２に示す例の釣り針外し具１においても、針掛け部４の先端部分に、先端を鋭角に尖らせた楔状部を設けるようにしても良いことは言うまでもない。また、図７、図８や、図１５、図１６の例と同様に、針掛け部４を図示しない柄２の長手方向の軸に対して傾斜させても良いことは勿論である。
【産業上の利用可能性】
【００４４】
本発明の釣り針外し具は、以上のように構成されているので、直接魚体に触れることなく容易に釣り針を外すことができ、手や手袋、タオルなどを汚すこともなく、また、毒などをもった危険な魚からも安全に釣り針を外すことができるものである。このため、本発明の釣り針外し具を使用すれば、より迅速に餌の付け替えが行えるとともに、手で魚体を把持することが危険なために釣り針を外すのを諦め仕方なく釣り針や仕掛けを遺棄するケースも少なくなり、海や河川の環境を悪化させることなく、より安全かつ簡便に釣りを楽しむことができるという優れた産業上の利用可能性を備えたものである。
【図面の簡単な説明】
【００４５】
【図１】本発明の釣り針外し具の一例を示す図である。
【図２】図１のＡ−Ａ断面図である。
【図３】本発明の釣り針外し具の他の例を示す断面図である。
【図４】本発明の釣り針外し具の更に他の例を示す図である。
【図５】図１の釣り針外し具の使用状態を説明する図である。
【図６】図４の釣り針外し具の使用状態を説明する図である。
【図７】本発明の釣り針外し具の更に他の例を示す図である。
【図８】図７の釣り針外し具の側面図である。
【図９】本発明の釣り針外し具の更に他の例を示す図である。
【図１０】図９の釣り針外し具の使用状態を説明する図である。
【図１１】本発明の釣り針外し具の更に他の例を示す図である。
【図１２】図１１の釣り針外し具の使用状態を説明する図である。
【図１３】本発明の釣り針外し具の更に他の例を示す図である。
【図１４】本発明の釣り針外し具の更に他の例を示す図である。
【図１５】本発明の釣り針外し具の更に他の例を示す図である。
【図１６】図１５のＡ−Ａ断面図である。
【図１７】本発明の釣り針外し具の更に他の例を示す図である。
【図１８】図１７の側面図である。
【図１９】本発明の釣り針外し具の更に他の例を示す図である。
【図２０】図１９のＡ−Ａ断面図である。
【図２１】本発明の釣り針外し具の更に他の例を示す図である。
【図２２】図２１の部分拡大図である。
【符号の説明】
【００４６】
１          釣り針外し具
２          柄
３          軸
４          針掛け部
５          穴
６          釣り竿
７          釣り針
８          釣り糸
９          係合部
１０          凸部
１１          段差
１２          リング
１３          楔状部
ｄ          間隙
ｍ１、ｍ２、ｎ  穴の深さ方向断面における対角線
【図１】
2005143416.tif 000003
【図２】
2005143416.tif 000004
【図３】
2005143416.tif 000005
【図４】
2005143416.tif 000006
【図５】
2005143416.tif 000007
【図６】
2005143416.tif 000008
【図７】
2005143416.tif 000009
【図８】
2005143416.tif 000010
【図９】
2005143416.tif 000011
【図１０】
2005143416.tif 000012
【図１１】
2005143416.tif 000013
【図１２】
2005143416.tif 000014
【図１３】
2005143416.tif 000015
【図１４】
2005143416.tif 000016
【図１５】
2005143416.tif 000017
【図１６】
2005143416.tif 000018
【図１７】
2005143416.tif 000019
【図１８】
2005143416.tif 000020
【図１９】
2005143416.tif 000021
【図２０】
2005143416.tif 000022
【図２１】
2005143416.tif 000023
【図２２】
2005143416.tif 000024